(57)【要約】【課題】  ロック・アンロックの操作が容易であり、一旦ロックすると不用意にアンロックし難い電気コネクタを提供する。【解決手段】  フレキシブルケーブル２を迎え入れる開口部３を有するハウジング４に、上記開口部３を開くアンロック位置と開口部３を閉じるロック位置とに回動する蓋部材５を取り付け、該蓋部材５をアンロック位置として開口部３にフレキシブルケーブル２を挿入した後、蓋部材５をロック位置として挿入したフレキシブルケーブル２を挟持する電気コネクタ１であって、上記蓋部材５とハウジング４との間に、蓋部材５をアンロック位置からロック位置に回動するとき、蓋部材５の回動軸８をフレキシブルケーブル２の挟持方向である下方に移動する下送りカム機構２４を設けると共に、蓋部材５の回動軸８をフレキシブルケーブル２の挿入方向と逆方向に移動する横送りカム機構２５を設け、回動軸８自身を斜め下方に移動させるようにしたもの。【選択図】      図６
2005079042.tif 000002
【特許請求の範囲】
【請求項１】
フレキシブルケーブルを迎え入れる開口部を有するハウジングに、上記開口部を開くアンロック位置と開口部を閉じるロック位置とに回動する蓋部材を取り付け、該蓋部材をアンロック位置として開口部にフレキシブルケーブルを挿入した後、蓋部材をロック位置として挿入したフレキシブルケーブルを挟持する電気コネクタであって、上記蓋部材とハウジングとの間に、蓋部材をアンロック位置からロック位置に回動するとき、蓋部材の回動軸をフレキシブルケーブルの挟持方向である下方に移動する下送りカム機構を設けると共に、蓋部材の回動軸をフレキシブルケーブルの挿入方向と逆方向に移動する横送りカム機構を設け、回動軸自身を斜め下方に移動させるようにしたことを特徴とする電気コネクタ。
【請求項２】
上記下送りカム機構は、上記ハウジングに取り付けられた第１カム部と、上記蓋部材に取り付けられ蓋部材をアンロック位置からロック位置に回動する間上記第１カム部に当接する第１カムフォロアとを備えた請求項１記載の電気コネクタ。
【請求項３】
上記第１カム部は、蓋部材がアンロック位置のとき第１カムフォロアに当接する凹部と、蓋部材がロック位置のとき第１カムフォロアに当接する凸部と、それら凹部と凸部とを滑らかに接続するスロープ部とを有する請求項２記載の電気コネクタ。
【請求項４】
上記第１カム部は、フレキシブルケーブルと電気的に接続すべくハウジングに取り付けられた第１接触子に形成された請求項２又は３記載の電気コネクタ。
【請求項５】
上記蓋部材に、上記第１カム部が貫通される窓部を設けた請求項２〜４記載の電気コネクタ。
【請求項６】
上記横送りカム機構は、上記ハウジングに取り付けられた第２カム部と、上記蓋部材に取り付けられ蓋部材をアンロック位置からロック位置に回動する間上記第２カム部に当接する第２カムフォロアとを備えた請求項１〜５記載の電気コネクタ。
【請求項７】
上記第２カム部は、フレキシブルケーブルの挿入方向と略直交して形成された鉛直面部を有し、上記第２カムフォロアは、蓋部材がアンロック位置のとき鉛直面部に当接する短径部と、蓋部材がロック位置のとき鉛直面部に当接する長径部と、それら短径部と長径部とを滑らかに接続する移行部とを有する請求項６記載の電気コネクタ。
【請求項８】
上記第２カム部は、フレキシブルケーブルと電気的に接続すべくハウジングに取り付けられた第２接触子に形成された請求項６又は７記載の電気コネクタ。
【請求項９】
請求項４記載の第１接触子と請求項８記載の第２接触子とが、互いに平行に交互に複数ハウジングに取り付けられた電気コネクタ。
【発明の詳細な説明】
【技術分野】
【０００１】
本発明は、フレキシブルケーブルをロック・アンロックする電気コネクタに係り、特に、一旦ロックすると不用意にアンロックし難い電気コネクタに関する。
【背景技術】
【０００２】
電気コネクタとして、フレキシブルケーブルを挿入抵抗ゼロで挿入でき、その後、フレキシブルケーブルを固定する無挿抜力式（ＺＩＦ：Zero Insertion Force）の電気コネクタが知られている。
【０００３】
この種の電気コネクタとして、図１２に示すように、開口部ａが形成された絶縁材からなるハウジングｂと、ハウジングｂに取り付けられた導体からなる接触子ｃと、接触子ｃの枢軸部ｄに係合されて回動する絶縁材からなる蓋部材ｅとを備えたものが知られている（特許文献１参照）。
【０００４】
この電気コネクタは、蓋部材ｅを破線で示すように開いてアンロック位置とした状態で、フレキシブルケーブルｆを開口部ａに挿入し、その後、蓋部材ｅを略水平状態まで閉じるロック位置まで回動することにより、蓋部材ｅの加圧部ｇでフレキシブルケーブルｆを接触子ｃの接触アーム部ｈに押圧し、フレキシブルケーブルｆと接触子ｃとを電気的に接続するものである。
【０００５】
詳しくは、上記蓋部材ｅは、アンロック位置からロック位置に回動する際に、ある回動角度までは枢軸部ｄの中心Ｘから加圧部ｇまでの距離Ｌが徐々に増大し、更に回動が進むと今度は逆に上記距離Ｌが減少し、ロック位置に至るように構成されている。これにより、蓋部材ｅは、上記距離Ｌが最大となる回動角度を超えて一旦ロック位置に至ると、アンロック位置の方向に回動し難くなる。これが所謂セルフロック機構である。
【０００６】
【特許文献１】実開平６−７７１８６号公報
【発明の開示】
【発明が解決しようとする課題】
【０００７】
ところで、従来の電気コネクタは、蓋部材ｅが単純に枢軸部ｄの中心Ｘ廻りに回動する構造であり、蓋部材ｅの回動中心Ｘと枢軸部ｄの中心Ｘとが一致しているため、上記距離Ｌが最大となる角度を乗り越えるときに要する蓋部材ｅのトルクが、ロック方向とアンロック方向とで等しくなり、セルフロック機構を備えているとはいってもフレキシブルケーブルｆが外れ難い構造とはいえない。
【０００８】
すなわち、フレキシブルケーブルｆを外れ難くするには、上記距離Ｌを長くしてアンロック時のトルクを大きくすることが有効であるが、こうすると、ロックに要するトルクも大きくなってしまい、組立性が損なわれる。他方、組立性を良好にするために、上記距離Ｌを短くしてロック時のトルクを小さくすると、アンロックに要するトルクも小さくなってしまい、フレキシブルケーブルｆが外れ易い。よって、良好な組立性とフレキシブルケーブルｆの外れ難さとの両立を図った電気コネクタの開発が望まれていた。
【０００９】
ここで、蓋部材ｅのロック位置からアンロック位置への回動を考察する。蓋部材ｅをロック位置にすると、フレキシブルケーブルｆの上面と蓋部材ｅの下面とが密着する。よって、フレキシブルケーブルｆの反対側の端部を別の基板やコネクタ等に接続しようとして引いたり曲げたりした際に、ほんの僅かな上向きの力が作用すると、この力は、蓋部材ｅの下面全体に作用して枢軸部ｄの中心Ｘまでの距離の積すなわちモーメントとして働き、蓋部材ｅをアンロック方向に回動させるモーメントとなる。
【００１０】
この開方向のモーメントは、その力点の位置が蓋部材ｅよりも外側のフレキシブルケーブルｆ上にあり、力点の位置が蓋部材ｅ上にある閉方向のモーメントよりも支点（中心Ｘ）から力点までの距離が長いため、閉方向のモーメントより大きい。すなわち、この開方向のモーメントは、その力点の位置関係から閉方向のモーメントより大きく、上記蓋部材ｅは閉じ難く開き易いとさえいえる。
【００１１】
また、蓋部材ｅが枢軸部ｄを中心として単純に回動する構造であるため、アンロック位置の蓋部材ｅをロック位置に回動させると、加圧部ｇによってフレキシブルケーブルｆが挿入方向の奥側に押し込まれる。これにより、フレキシブルケーブルｆが、所定の位置より深く押し込まれ、撓んだり歪んだりする可能性がある。すると、その反力としてフレキシブルケーブルｅを押し返す力が発生し、これが蓋部材ｅをアンロック方向に回動させる力となる。
【００１２】
以上の事情を考慮して創案された本発明の目的は、ロック・アンロックの操作が容易であり、一旦ロックすると不用意にアンロックし難い電気コネクタを提供することにある。
【課題を解決するための手段】
【００１３】
上記課題を解決するために創案された本発明は、フレキシブルケーブルを迎え入れる開口部を有するハウジングに、上記開口部を開くアンロック位置と開口部を閉じるロック位置とに回動する蓋部材を取り付け、該蓋部材をアンロック位置として開口部にフレキシブルケーブルを挿入した後、蓋部材をロック位置として挿入したフレキシブルケーブルを挟持する電気コネクタであって、上記蓋部材とハウジングとの間に、蓋部材をアンロック位置からロック位置に回動するとき、蓋部材の回動軸をフレキシブルケーブルの挟持方向である下方に移動する下送りカム機構を設けると共に、蓋部材の回動軸をフレキシブルケーブルの挿入方向と逆方向に移動する横送りカム機構を設け、回動軸自身を斜め下方に移動させるようにしたものである。
【００１４】
上記下送りカム機構は、上記ハウジングに取り付けられた第１カム部と、上記蓋部材に取り付けられ蓋部材をアンロック位置からロック位置に回動する間上記第１カム部に当接する第１カムフォロアーとを備えてもよい。上記第１カム部は、蓋部材がアンロック位置のとき当接する凹部と、蓋部材がロック位置のとき当接する凸部と、それら凹部と凸部とを滑らかに接続するスロープ部とを有してもよい。上記第１カム部は、フレキシブルケーブルと電気的に接続すべくハウジングに取り付けられた第１接触子に形成されてもよい。上記蓋部材に、上記第１カム部が貫通される窓部を設けてもよい。
【００１５】
上記横送りカム機構は、上記ハウジングに取り付けられた第２カム部と、上記蓋部材に取り付けられ蓋部材をアンロック位置からロック位置に回動する間上記第２カム部に当接する第２カムフォロアーとを備えてもよい。  上記第２カム部は、フレキシブルケーブルの挿入方向と略直交して形成された鉛直面部を有し、上記第２カムフォロアは、蓋部材がアンロック位置のとき鉛直面部に当接する短径部と、蓋部材がロック位置のとき鉛直面部に当接する長径部と、それら短径部と長径部とを滑らかに接続する移行部とを有してもよい。上記第２カム部は、フレキシブルケーブルと電気的に接続すべくハウジングに取り付けられた第２接触子に形成されてもよい。
【００１６】
上記第１接触子と上記第２接触子とが、互いに平行に交互に複数ハウジングに取り付けられてもよい。
【発明の効果】
【００１７】
本発明によれば、次のような効果を発揮できる。
【００１８】
（１）蓋部材をアンロック位置からロック位置に回動させると、蓋部材の回動軸が下送りカム機構によって下方に移動され同時に横送りカム機構によって横方向に移動されるので、逆に蓋部材をロック位置からアンロック位置に回動させる場合には、蓋部材の回動軸を上方向に移動させる力と反対側の横方向に移動させる力とを同時に作用させる必要がある。このように、二方向の力を作用させないとアンロックできないので、一旦ロックすると不用意にアンロックし難く、フレキシブルケーブルの不用意の外れを防止できる。
【００１９】
（２）アンロック位置の蓋部材をロック位置に回動させると、横送りカム機構によって蓋部材の回動軸がフレキシブルケーブルの挿入方向と逆方向に移動されるので、フレキシブルケーブルは挿入方向と逆方向に押し返されつつ挟持される。よって、フレキシブルケーブルが蓋部材の回動に伴って所定の位置よりも深く押し込まれて撓んだり歪んだりする不具合を防止できる。また、それら撓みや歪みの反力としてフレキシブルケーブルを押し返す力、すなわち蓋部材をアンロック方向に回動させる力の発生を回避できる。
【発明を実施するための最良の形態】
【００２０】
本発明の好適実施形態を添付図面に基づいて説明する。
【００２１】
図１及び図２に示すように、本実施形態に係る電気コネクタ１は、フレキシブルケーブル２を迎え入れる開口部３を有するハウジング４に、開口部３を開くアンロック位置と開口部３を閉じるロック位置とに回動する蓋部材５（アクチュエータ）を取り付け、蓋部材５をアンロック位置として開口部３にフレキシブルケーブル２を挿入した後、蓋部材５をロック位置として挿入したフレキシブルケーブル２を挟持する無挿抜力式（ＺＩＦ：Zero Insertion Force）の電気コネクタである。
【００２２】
ハウジング４は、合成樹脂等の絶縁材から細長い略直方体形状に形成されており、図３及び図４にも示すように、長手方向の両端にブロック部６を有し、それらブロック部６、６同士の間に上記開口部３を有する。開口部３は、ハウジング４の上面と側面とを開放するように形成されており、上記蓋部材５によって開閉される。
【００２３】
蓋部材５は、合成樹脂等の絶縁材から細長い略板形状に形成されており、その両端に上記ブロック部６に形成された凹部７に遊嵌される回動軸８を有する。また、ブロック部６には、当該電気コネクタ１を図示しない回路基板に固定するための補助金具９が取り付けられている。この補助金具９については後述する。
【００２４】
蓋部材５には、図５にも示すように、長手方向に所定間隔を隔てて複数の窓部１０が形成され、開口部３の底面には、同様に複数の溝部１１が形成されている。これら窓部１０及び溝部１１の幅及びピッチは、等しく設定されている。窓部１０及び溝部１１には、フレキシブルケーブル２と電気的に接続される第１接触子１２（第１コンタクタ）と第２接触子１３（第２コンタクタ）とが、交互に電気的に絶縁され、圧入されている。これら第１及び第２接触子１２、１３は、リン青銅等の薄板状の金属から、形成されている。
【００２５】
第１接触子１２は、図６に示すように、ハウジング４に圧入され且つ矢尻１４で抜け止めが施された本体部１５と、本体部１５の上部からフレキシブルケーブル２の挿入方向と略逆方向に延出された第１カム部１６と、本体部１５の下部から上記略逆方向に延出された接触部１７と、本体部１５の下部から接触部１７とは略逆方向に延出されたテール部１８とを有する。第１カム部１６は、窓部１０を貫通し、接触部１７よりも左方に長く設定されている。接触部１７は、開口部３に挿入されたフレキシブルケーブル２をロックするとき、下方の溝部１１側に撓んでフレキシブルケーブル２の導体部と接触するようになっている。テール部１８は、図示しない回路基板に電気的に接続される。
【００２６】
第２接触子１３は、図８に示すように、ハウジング４に圧入され且つ矢尻１９で抜け止めが施された本体部２０と、本体部２０の正面（フレキシブルケーブル２の挿入方向に正対する面）に略鉛直に形成された第２カム部２１と、本体部２０の下部からフレキシブルケーブル２の挿入方向と略逆方向に延出された接触部２２と、本体部２０の下部から接触部２２とは略逆方向に延出されたテール部２３とを有する。第２カム部２１は、接触部２２の先端より引き込んだ位置に設定されている。接触部２２は、開口部３に挿入されたフレキシブルケーブル２をロックするとき、下方の溝部１１側に撓んでフレキシブルケーブル２の導体部と接触するようになっている。テール部２３は、図示しない回路基板に電気的に接続される。
【００２７】
なお、図例では接触部１７、２２の長さは、等しく設定されているが、異なっていてもよい。例えば、各接触部１７、２２と接触するフレキシブルケーブル２の導体部が千鳥配置となっている場合には、それに合わせて接触部１７、２２の長さを交互に不等長としてもよい。
【００２８】
図６及び図７に示すように、蓋部材５とハウジング４との間には、蓋部材５をアンロック位置からロック位置に回動するとき、蓋部材５の回動中心Ａをフレキシブルケーブル２の挟持方向である下方に移動する下送りカム機構２４が設けられていると共に、図８及び図９に示すように、蓋部材５の回動中心Ａをフレキシブルケーブル２の挿入方向と逆方向に移動する横送りカム機構２５が設けられている。これら下送りカム機構２４及び横送りカム機構２５により、回動中心Ａは図８の位置から図９にかけて斜め左方に移動する。
【００２９】
下送りカム機構２４は、図６に示すように、上述した第１接触子１２の第１カム部１６と、蓋部材５に窓部１０の一部を区画するように取り付けられた第１カムフォロア２６とを有する。第１カム部１６の下縁には、蓋部材５が図６に示すアンロック位置のとき第１カムフォロア２６に当接する凹部２７と、蓋部材５が図７に示すロック位置のとき第１カムフォロア２６に当接する凸部２８と、それら凹部２７と凸部２８とを滑らかに接続するスロープ部２９とが形成されている。
【００３０】
第１カムフォロア２６は、回動中心Ａと同芯の円軸からなり、蓋部材５が図６に示すアンロック位置から図７に示すロック位置に回動する間、横送りカム機構２４により左方に移動されて第１カム部１６の下縁に当接し、凹部２７とスロープ部２９と凸部２８とに順次ガイドされる。これにより、第１カムフォロア２６（円軸）の中心Ａすなわち図１０に示す回動軸８の中心Ａは、図６から図７に示すように、下方に案内される。
【００３１】
なお、第１カム部１６は、上述のように凹部２７と凸部２８とスロープ部２９とを備えた形状には限られず、第１カムフォロア２６も、円軸でなくともよく、回動軸８の中心Ａと同芯でなくても構わない。すなわち、第１カム部１６及び第１カムフォロア２６は、蓋部材５をアンロック位置からロック位置に回動させ、横送りカム機構２５によって第１カムフォロア２６が第１カム部１６に沿って左方に移動されたとき、第１カムフォロア２６の回動中心Ａが下方に移動される形状であればよい。
【００３２】
横送りカム機構２５は、図８に示すように、上述した第２接触子１３の第２カム部２１と、蓋部材５に窓部１０の一部を区画するように取り付けられた第２カムフォロア３０とを備える。但し、第２カム部２１は、窓部１０を貫通するわけではないので、第２カム部２１が対向する部分の窓部１０を省略することもできる。第２カム部２１は、略鉛直に形成された鉛直面部３１と、その下部に形成されたアール部３２とを有する。
【００３３】
第２カムフォロア３０は、図８に示すように蓋部材５がアンロック位置のとき第２カム部２１の鉛直面部３１に当接する短径部３３と、図９に示すように蓋部材５がロック位置のとき第２カム部２１の鉛直面部３１に当接する長径部３４と、それら短径部３３と長径部３４とを滑らかに接続する移行部３５とを有し、勾玉状ないし半円状に形成されている。短径部３３は、略直線上に形成されており、回動中心Ａから表面までの距離が、長径部３４のそれよりも短い。
【００３４】
長径部３４の曲率中心Ａは、図１０に示す回動軸８の中心Ａ、すなわち図６に示す第１カムフォロア２６（円軸）の中心Ａと、同芯となっている。第２カムフォロア３０は、蓋部材５が図８に示すアンロック位置から図９に示すロック位置に回動する間、第２カム部２１に当接し、鉛直面部３１とアール部３２とにガイドされ、長径部３４の中心Ａすなわち回動軸８の中心Ａを左方に案内する。
【００３５】
なお、第２カム部２１は、上述のように鉛直面部３１とアール部３２とを備えた形状には限られず、第２カムフォロア３０は、短径部３３と長径部３４と移行部３５とを有する形状（勾玉状、半円状）に限られない。すなわち、第２カム部２１及び第２カムフォロア３０は、蓋部材５がアンロック位置からロック位置に回動されたとき、第２カムフォロア３０の回動中心Ａが左方に移動される形状であればよい。また、長径部３４の曲率中心Ａと回動軸８の中心Ａと第１カムフォロア２６（円軸）の中心Ａとは、同芯でなくてもよく、僅かずつずれていてもよい。
【００３６】
図１０は、図５のＸ−Ｘ線断面図であり、蓋部材５の両端に設けられた回動軸８の断面図である。回動軸８は、ハウジング４のブロック部６に形成された凹部７に遊嵌され、補助金具９に支持されている。補助金具９は、図５に示すように、正面視Ｌ字型に形成された薄い金属板で、ブロック部６に形成されたスリット３６に圧入され、且つ図１０から明らかなように矢尻３７で抜け止めが施された基盤部３８を有する。基盤部３８の上縁には、上記回動軸８が載置される。
【００３７】
回動軸８は、図１０に示すように蓋部材５がアンロック位置のとき基盤部３８に当接する厚肉部３９と、図１１に示すように蓋部材５がロック位置のとき基盤部３８から所定隙間離間する薄肉部４０と、それら薄肉部４０と厚肉部３９とを滑らかに接続する中間部４１とを有する。回動軸８の回動中心Ａは、図６に示す第１カムフォロア２６の回動中心Ａ及び図８に示す第２カムフォロア３０の回動中心Ａと図例では同芯となっている。但し、同芯でなくても構わない。
【００３８】
厚肉部３９は、図１０に示すように、アンロック位置の蓋部材５を上方に押し上げ、図６に示す第１カムフォロア２６及び図８に示す第２カムフォロア３０を浮かせ、それらの下方にフレキシブルケーブル２の挿入スペースを確保する。
【００３９】
中間部４１は、蓋部材５が図１０のアンロック位置から図１１のロック位置に回動する間、補助金具９の基盤部３８に当接し、図６から図７にかけての第１カムフォロア２６及び図８から図９にかけての第２カムフォロア３０を、それぞれ高さを減じつつも浮かせた状態に支持する。
【００４０】
薄肉部４０は、図１１に示すように、蓋部材５がロック位置のとき、補助金具９の基盤部３８から浮かされ、図７に示す第１カムフォロア２６及び図９に示す第２カムフォロア３０によるフレキシブルケーブル２の挟持を許容する。すなわち、仮に図１１において薄肉部４０が基盤部３８に当接する状態であると、その薄肉部４０がストッパとなって図７の第１カムフォロア２６及び図９の第２カムフォロア３０の下方への押し下げが妨げられてしまう。
【００４１】
以上の構成からなる本実施形態の作用を述べる。
【００４２】
フレキシブルケーブル２を挟持するときには、先ず、図１及び図３に示すように、蓋部材５をアンロック位置に回動させ、開口部３を開放する。すると、図１０に示すように蓋部材５の回動軸８の厚肉部３９が補助金具９の基盤部３８に当接され、図６に示すように第１カムフォロア２６が浮かされて第１カム部１６に押し付けられ、同時に図８に示すように第２カムフォロア３０も浮かされる。
【００４３】
これにより、図６に示すように、第１カムフォロア２６（円軸）と第１接触子１２の接触部１７との間には、フレキシブルケーブル２の厚さプラスαの隙間が形成され、同様に、図８に示すように、第２カムフォロア３０と第２接触子１３の接触部２２との間にも、フレキシブルケーブル２の厚さプラスαの隙間が形成される。よって、フレキシブルケーブル２を無抵抗で挿入できる。
【００４４】
なお、図１０に示す上記回動軸８の厚肉部３９が存在しないと仮定すると、蓋部材５は、アンロック位置に回動させたとき、重力によって下がってしまう。このため、フレキシブルケーブル２を挿入できる隙間が確保できず、手で蓋部材５を引き上げなければフレキシブルケーブル２を挿入することができない。よって、作業性が大幅に悪化してしまう。
【００４５】
また、図６に示すように、蓋部材５をアンロック位置に回動させたとき、第１カムフォロア２６は、第１カム部１６の凹部２７（詳しくは凹部２７からスロープ部２９に移行する部分）に押し付けられる。この反力により、第１カムフォロア２６は、その回動中心Ａが右斜め下方に付勢され、図８に示す第２カムフォロア３０の短径部３３を第２カム２１の鉛直面部３１に押し付けると共に、図１０に示す回動軸８の厚肉部３９を補助金具９の基盤部３８に押し付ける。
【００４６】
こうして、回動軸８の厚肉部３９が補助金具９の基盤部３８に押し付けられ、第２カムフォロア３０の短径部３３が第２カム部２１の鉛直面部３１に押し付けられ、第１カムフォロア２６が第１カム部１６の凹部２７からスロープ部２９に移行する部分に押し付けられる。よって、それらの反力によって、アンロック位置に回動された蓋部材５は、間隔が隔てられた３点（詳しくは第２カムフォロア３０と第２カム部２１とは面接触）によって安定して支持される。
【００４７】
次に、開口部３に挿入したフレキシブルケーブル２を挟持するには、図２及び図４に示すように、蓋部材５を回動させ、開口部３を閉じる。すると、蓋部材５の回動に伴って、図８に示すように、第２カムフォロア３０は、その短径部３３が第２カム部２１の鉛直面部３１に接触する状態から、移行部３５が第２カム部２１のアール部３２に接触する状態を経て鉛直面部３１に接触する状態となり、それらの鉛直面部３１を基準とした長さの差に応じて、回動中心Ａが左方に移動される。
【００４８】
すなわち、第２カムフォロア３０の移行部３５は、最初は第２カム部２１のアール部３２に接触し、その後に第２カム部２１の鉛直面部３１に接触し、結果として蓋部材５の回動中心Ａを左方に押し出す。よって、蓋部材５そのものが左方に押し出され、図６に示すように第１カム部１６の凹部２７からスロープ部２９にかけての部分に接触していた第１カムフォロア２６が、スロープ部２９に沿って接触移動するようになる。これにより、蓋部材５は、左方に移動されつつ、同時に下方に移動される。
【００４９】
このとき、図１０に示す回動軸８は、厚肉部３９が補助金具９の基盤部３８に当接された状態から中間部４１が補助金具９の基盤部３８に当接される状態に移行し、蓋部材５が回動する間、図６に示す第１カムフォロア２６を第１カム部１６のスロープ部２９に押し付け続ける。よって、第１カムフォロア２６は、スロープ部２９から反力を受け、図８に示す第２カムフォロア３０の移行部３５を第２カム部２１のアール部３２から鉛直面部３１にかけて押し付け続ける。
【００５０】
こうして、回動軸８の中間部４１が補助金具９の基盤部３８に押し付けられ、第１カムフォロア２６が第１カム部１６のスロープ部２９に押し付けられ、第２カムフォロア３０の移行部３５が第２カム部２１に押し付けられる。よって、それらの反力によって、回動される蓋部材５は、間隔が隔てられた３点によって安定して支持され続ける。
【００５１】
更に、蓋部材５を回動させると、図９に示すように、第２カムフォロア３０は、長径部３４が第２カム部２１の鉛直面部３１に接触する状態となり、回動中心Ａが更に左方に移動される。これにより、図７に示すように、第１カムフォロア２６が、第１カム部１６の凸部２８に接触するようになる。これにより、蓋部材５は、更に左方に移動されつつ、同時に更に下方に移動される。
【００５２】
このとき、図１１に示すように、回動軸８は、薄肉部４０が所定間隔を隔てて補助金具９の基盤部３８に対向するようになる。そして、図７に示す第１カムフォロア２６及び図９に示す第２カムフォロア３０は、同芯同径の円弧として形成してあるので、夫々同時にフレキシブルケーブル２を下方に押圧する。
【００５３】
これにより、第１接触子１２の接触部１７がフレキシブルケーブル２に圧接されて電気的に接続され、同様に、図９に示すように第２接触子１３の接触部２２がフレキシブルケーブル２に圧接されて電気的に接続される。そして、第１接触子１２は、テール部１８を介し、第２接触子１３は、テール部２３を介し、図示しない基板と電気的に接続される。なお、第１カムフォロア２６を成す円軸と第２カムフォロア３０の長径部３４とのいずれか一方のみがフレキシブルケーブル２を押し付けるようにしてもよい。
【００５４】
そして、この押し付けの反力は、上方に向けて発生し、図７に示す第１カムフォロア２６を第１カム部１６の凸部２８に押し付ける。この反力により、蓋部材５の回動中心Ａが右斜め下に付勢される。よって、図９に示す第２カムフォロア３０の長径部３４が第２カム部２１の鉛直面部３１に押し付けられる。こうして、蓋部材５は、間隔が隔てられた３点によって、安定してロック位置に保持される。
【００５５】
以上説明したように、蓋部材５をアンロック位置からロック位置に回動すると、蓋部材５の回動軸８が下送りカム機構２４によって下方に移動され同時に横送りカム機構２５によって左方向に移動されてロック位置に至るので、逆にロック位置の蓋部材５をアンロック位置に回動させる場合には、蓋部材５の回動軸８を上方向に移動させる力と右方向に移動させる力とを同時に作用させる必要がある。このように、二方向の力を作用させないとアンロックできないので、一旦ロックすると不用意にアンロックし難く、フレキシブルケーブル２の不用意の外れを防止できる。また、ロック・アンロックの操作自体は容易である。
【００５６】
また、アンロック位置の蓋部材５をロック位置に回動させると、横送りカム機構２５によって蓋部材５の回動軸８がフレキシブルケーブル２の挿入方向と逆方向に移動されるので、フレキシブルケーブル２は挿入方向と逆方向に押し返されつつ挟持される。よって、フレキシブルケーブル２が蓋部材５の回動に巻き込まれ、所定の位置よりも深く押し込まれて撓んだり歪んだりする不具合を防止できる。また、それら撓みや歪みの反力としてフレキシブルケーブル２を押し返す力、すなわち蓋部材５をアンロック方向に回動させる力の発生を回避できる。
【００５７】
また、蓋部材５に窓部１０を形成し、その窓部１０を貫通させて第１カム部１６及び第２カム部２１を形成し、それら第１カム部１６及び第２カム部２１を利用してフレキシブルケーブル２を下方に押圧するようにしたので、電気コネクタ１を薄型（背低）にすることができる。
【００５８】
また、フレキシブルケーブル２をロックするときには、図７に示す第１カムフォロア２６と第１カム１６との接触点と、図９に示す第２カムフォロア３０と第２カム２１との接触点とが、夫々中心Ａを挟んでその左右に配置され、且つそれらの接触点の間の下方に、ケーブル２と接触部１７、２２との接触点が配置されるように、各部品１６、２１、１７、２２の左方への延出長さが設定されているので、ケーブル２が第１及び第２カムフォロア２６、３０と接触部１７、２２との間に効率よく挟持される。
【図面の簡単な説明】
【００５９】
【図１】本発明の好適実施形態に係るアンロック状態の電気コネクタ及びフレキシブルケーブルの全体を示す斜視図である。
【図２】上記電気コネクタのロック状態を示す斜視図である。
【図３】図１の部分拡大図である。
【図４】図２の部分拡大図である。
【図５】図３の正面図である。
【図６】図５のVI−VI線断面図である（アンロック状態）。
【図７】図６から蓋部材をロック状態とした断面図である。
【図８】図５のVIII−VIII線断面図である。
【図９】図８から蓋部材をロック状態とした断面図である。
【図１０】図５のX−X線断面図である。
【図１１】図１０から蓋部材をロック状態とした断面図である。
【図１２】従来例を示す電気コネクタの断面図である。
【符号の説明】
【００６０】
１  電気コネクタ
２  フレキシブルケーブル
３  開口部
４  ハウジング
５  蓋部材
８  回動軸
１０  窓部
１２  第１接触子
１３  第２接触子
１６  第１カム部
２１  第２カム部
２４  下送りカム機構
２５  横送りカム機構
２６  第１カムフォロア
２７  凹部
２８  凸部
２９  スロープ部
３０  第２カムフォロア
３３  短径部
３４  長径部
３５  移行部
【図１】
2005079042.tif 000003
【図２】
2005079042.tif 000004
【図３】
2005079042.tif 000005
【図４】
2005079042.tif 000006
【図５】
2005079042.tif 000007
【図６】
2005079042.tif 000008
【図７】
2005079042.tif 000009
【図８】
2005079042.tif 000010
【図９】
2005079042.tif 000011
【図１０】
2005079042.tif 000012
【図１１】
2005079042.tif 000013
【図１２】
2005079042.tif 000014